【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ネットワークエンティティから制御チャネルリソースの第１のインジケーションを受信することと、ここにおいて、前記制御チャネルリソースは、トラフィックデータの第１のタイプと関連付けられる制御データを含むことを無線アクセス技術によって定義される、
前記制御チャネルリソースにわたって前記ネットワークエンティティから制御チャネルを受信することと、ここにおいて、前記制御チャネルリソースは、トラフィックデータの前記第１のタイプと関連付けられる制御データの代わりにトラフィックデータの第２のタイプを搬送し、トラフィックデータの前記第２のタイプは、トラフィックデータの前記第１のタイプより少ないデータペイロードを含む、
前記制御チャネルからの制御データを復号することなしに前記制御チャネルからのトラフィックデータの前記第２のタイプを復号することと、
を備える、方法。
【請求項２】
前記制御チャネルからのトラフィックデータを復号するために第２のインジケーションを、前記ネットワークエンティティから、受信すること、ここにおいて、前記制御チャネルからのトラフィックデータの前記第２のタイプの前記復号は、前記第２のインジケーションに少なくとも部分的に基づく、
をさらに備える、請求項１に記載の方法。
【請求項３】
前記第２のインジケーションは、前記制御チャネルリソースを決定する、および前記制御チャネルリソースからのトラフィックデータを復号するための個別の無線ネットワーク一時識別子（ＲＮＴＩ）に対応する、請求項２に記載の方法。
【請求項４】
トラフィックデータの前記第２のタイプの前記復号は、前記制御チャネルの許可スペースの各シンボルを、トラフィックデータの前記第２のタイプが前記許可スペースに存在するかどうかを決定するために前記個別のＲＮＴＩに基づいて探索することを備える、請求項３に記載の方法。
【請求項５】
トラフィックデータの前記第２のタイプの前記復号は、トラフィックデータの前記第２のタイプを検出するために１つ以上の見込まれるパケットサイズまたはアグリゲーションレベル仮説を使用してトラフィックデータの前記第２のタイプを求めて前記制御チャネルの許可スペースを探索することを備える、請求項１に記載の方法。
【請求項６】
前記制御チャネルリソースからの固定の時間期間で設定された次の制御チャネルリソースにわたって次の制御チャネルにおけるトラフィックデータの前記第２のタイプの再送を、前記ネットワークエンティティから、受信することをさらに備える、請求項１に記載の方法。
【請求項７】
前記第１のインジケーションを受信することは、前記ネットワークエンティティからのマルチステージの許可のうちの１つ以上のステージにおいて前記制御チャネルリソースの前記第１のインジケーションを受信することを備える、請求項１に記載の方法。
【請求項８】
前記制御チャネルリソースは、持続時間においてサブフレーム未満である送信時間間隔に基づく超低レイテンシ（ＵＬＬ）物理ダウンリンク制御チャネル（ｕＰＤＣＣＨ）に対応する、請求項１に記載の方法。
【請求項９】
ワイヤレス通信のためのユーザ機器であって、
ネットワークエンティティから制御チャネルリソースの第１のインジケーションを受信するための手段と、ここにおいて、前記制御チャネルリソースは、トラフィックデータの第１のタイプと関連付けられる制御データを含むことを無線アクセス技術によって定義される、
前記制御チャネルリソースにわたって前記ネットワークエンティティから制御チャネルを受信するための手段と、ここにおいて、前記制御チャネルリソースは、トラフィックデータの前記第１のタイプと関連付けられる制御データの代わりにトラフィックデータの第２のタイプを搬送し、トラフィックデータの前記第２のタイプは、トラフィックデータの前記第１のタイプより少ないデータペイロードを含む、
前記制御チャネルからの制御データを復号することなしに前記制御チャネルからのトラフィックデータの前記第２のタイプを復号するための手段と、
を備える、ユーザ機器。
【請求項１０】
前記制御チャネルからのトラフィックデータを復号するために第２のインジケーションを、前記ネットワークエンティティから、受信するための手段、ここにおいて、復号するための前記手段は、前記第２のインジケーションに少なくとも部分的に基づいて前記制御チャネルからのトラフィックデータの前記第２のタイプを復号する、
をさらに備える、請求項９に記載のユーザ機器。
【請求項１１】
前記第２のインジケーションは、前記制御チャネルリソースを決定する、および前記制御チャネルリソースからのトラフィックデータを復号するための個別の無線ネットワーク一時識別子（ＲＮＴＩ）に対応する、請求項１０に記載のユーザ機器。
【請求項１２】
復号するための前記手段は、少なくとも部分的に、トラフィックデータの前記第２のタイプを検出するために１つ以上の見込まれるパケットサイズまたはアグリゲーションレベル仮説を使用してトラフィックデータの前記第２のタイプを求めて前記制御チャネルの許可スペースを探索することによってトラフィックデータの前記第２のタイプを復号する、請求項９に記載のユーザ機器。
【請求項１３】
前記制御チャネルリソースからの固定の時間期間で設定された次の制御チャネルリソースにわたって次の制御チャネルにおけるトラフィックデータの前記第２のタイプの再送を、前記ネットワークエンティティから、受信するための手段をさらに備える、請求項９に記載のユーザ機器。
【請求項１４】
受信するための手段は、前記ネットワークエンティティからのマルチステージの許可のうちの１つ以上のステージにおいて前記制御チャネルリソースの前記第１のインジケーションを受信する、請求項９に記載のユーザ機器。
【請求項１５】
コンピュータによって実行されると、前記コンピュータに、請求項１乃至８のいずれか一項に記載の方法を行わせる、コンピュータ実行可能なコードを備えるコンピュータ可読記憶媒体。
【手続補正２】
【補正対象書類名】明細書
【補正対象項目名】００７５
【補正方法】変更
【補正の内容】
【００７５】
[0084]  先の説明は、いかなる当業者であっても、本明細書に説明された様々な態様を実現することを可能にするために提供されている。これらの態様への様々な修正は、当業者に容易に明らかとなり、本明細書に定義された一般的な原理は、他の態様に適用され得る。よって、特許請求の範囲は、本明細書に示されている態様に限定されるように意図されたものではなく、請求項の文言と一致するすべての範囲を与えられるべきであり、ここにおいて、単数での要素への言及は、そのように明確に記載されていない限りは「１つおよび１つのみ」を意味するように意図されず、むしろ「１つ以上」を意味するように意図される。そうでないと明確に記載されていない限り、「いくつかの」という用語は、１つ以上を指す。当業者に既知の、または後に既知となる、本明細書に説明された様々な態様の要素と構造的および機能的に同等な物はすべて、参照によって本明細書に明白に組み込まれ、特許請求の範囲に包含されるように意図される。さらに、本明細書で開示されたものが、特許請求の範囲において明示的に記載されているかどうかに関わらず、公に捧げられることを意図していない。要素が「〜のための手段」という表現を使用して明記されていない限り、どの請求項の要素もミーンズプラスファンクションとして解釈されるべきではない。
以下に本願の出願当初の特許請求の範囲に記載された発明を付記する。
［Ｃ１］
ワイヤレス通信の方法であって、
ネットワークエンティティから制御チャネルリソースの第１のインジケーションを受信することと、ここにおいて、前記制御チャネルリソースは、トラフィックデータの第１のタイプと関連付けられる制御データを含むことを無線アクセス技術によって定義される、  前記制御チャネルリソースにわたって前記ネットワークエンティティから制御チャネルを受信することと、ここにおいて、前記制御チャネルは、トラフィックデータの第２のタイプを含み、トラフィックデータの前記第２のタイプは、トラフィックデータの前記第１のタイプより比較的少ないデータペイロードを含む、
前記制御チャネルからの制御データを復号することなしに前記制御チャネルからのトラフィックデータの前記第２のタイプを復号することと、
を備える、方法。
［Ｃ２］
前記制御チャネルからのトラフィックデータを復号するために第２のインジケーションを、前記ネットワークエンティティから、受信すること、ここにおいて、前記制御チャネルからのトラフィックデータの前記第２のタイプの前記復号は、前記第２のインジケーションに少なくとも部分的に基づく、
をさらに備える、Ｃ１に記載の方法。
［Ｃ３］
前記第２のインジケーションは、前記制御チャネルリソースを決定する、および前記制御チャネルリソースからのトラフィックデータを復号するための個別の無線ネットワーク一時識別子（ＲＮＴＩ）に対応する、Ｃ２に記載の方法。
［Ｃ４］
トラフィックデータの前記第２のタイプの前記復号は、前記制御チャネルの許可スペースの各シンボルを、トラフィックデータの前記第２のタイプが前記許可スペースに存在するかどうかを決定するために前記個別のＲＮＴＩに基づいて探索することを備える、Ｃ３に記載の方法。
［Ｃ５］
トラフィックデータの前記第２のタイプの前記復号は、トラフィックデータの前記第２のタイプを検出するために１つ以上の見込まれるパケットサイズまたはアグリゲーションレベル仮説を使用してトラフィックデータの前記第２のタイプを求めて前記制御チャネルの許可スペースを探索することを備える、Ｃ１に記載の方法。
［Ｃ６］
前記制御チャネルリソースからの固定の時間期間で設定された次の制御チャネルリソースにわたって次の制御チャネルにおけるトラフィックデータの前記第２のタイプの再送を、前記ネットワークエンティティから、受信することをさらに備える、Ｃ１に記載の方法。
［Ｃ７］
前記第１のインジケーションを受信することは、前記ネットワークエンティティからのマルチステージの許可のうちの１つ以上のステージにおいて前記制御チャネルリソースの前記第１のインジケーションを受信することを備える、Ｃ１に記載の方法。
［Ｃ８］
前記制御チャネルリソースは、持続時間においてサブフレーム未満である送信時間間隔に基づく超低レイテンシ（ＵＬＬ）物理ダウンリンク制御チャネル（ｕＰＤＣＣＨ）に対応する、Ｃ１に記載の方法。
［Ｃ９］
ワイヤレス通信のためのユーザ機器であって、
トランシーバと、
ワイヤレスネットワークにおいて信号を通信するために、バスを介して、前記トランシーバに通信可能に結合される少なくとも１つのプロセッサと、
前記バスを介して前記トランシーバおよび／または前記少なくとも１つのプロセッサに通信可能に結合されるメモリと、
ここにおいて、前記少なくとも１つのプロセッサおよび前記メモリは、
ネットワークエンティティから制御チャネルリソースの第１のインジケーションを、前記トランシーバを介して、受信することと、ここにおいて、前記制御チャネルリソースは、トラフィックデータの第１のタイプと関連付けられる制御データを含むことを無線アクセス技術によって定義される、
前記制御チャネルリソースにわたって前記ネットワークエンティティから制御チャネルを、前記トランシーバを介して、受信することと、ここにおいて、前記制御チャネルは、トラフィックデータの第２のタイプを含み、トラフィックデータの前記第２のタイプは、トラフィックデータの前記第１のタイプより比較的少ないデータペイロードを含む、    前記制御チャネルからの制御データを復号することなしに前記制御チャネルからのトラフィックデータの前記第２のタイプを復号することと、
を行うように動作可能である、
を備える、ユーザ機器。
［Ｃ１０］
前記少なくとも１つのプロセッサおよび前記メモリは、前記制御チャネルからのトラフィックデータを復号するために第２のインジケーションを、前記トランシーバを介して前記ネットワークエンティティから、受信すること、ここにおいて、前記少なくとも１つのプロセッサおよび前記メモリは、前記第２のインジケーションに少なくとも部分的に基づいて前記制御チャネルからのトラフィックデータの前記第２のタイプを復号するように動作可能である、
を行うようにさらに動作可能である、Ｃ９に記載のユーザ機器。
［Ｃ１１］
前記第２のインジケーションは、前記制御チャネルリソースを決定する、および前記制御チャネルリソースからのトラフィックデータを復号するための個別の無線ネットワーク一時識別子（ＲＮＴＩ）に対応する、Ｃ１０に記載のユーザ機器。
［Ｃ１２］
前記少なくとも１つのプロセッサおよび前記メモリは、少なくとも部分的に、前記制御チャネルの許可スペースの各シンボルを、トラフィックデータの前記第２のタイプが前記許可スペースに存在するかどうかを決定するために前記個別のＲＮＴＩに基づいて探索することによってトラフィックデータの前記第２のタイプを復号するように動作可能である、Ｃ１１に記載のユーザ機器。
［Ｃ１３］
前記少なくとも１つのプロセッサおよび前記メモリは、少なくとも部分的に、トラフィックデータの前記第２のタイプを検出するために１つ以上の見込まれるパケットサイズまたはアグリゲーションレベル仮説を使用してトラフィックデータの前記第２のタイプを求めて前記制御チャネルの許可スペースを探索することによってトラフィックデータの前記第２のタイプを復号するように動作可能である、Ｃ９に記載のユーザ機器。
［Ｃ１４］
前記少なくとも１つのプロセッサおよび前記メモリは、前記制御チャネルリソースからの固定の時間期間で設定された次の制御チャネルリソースにわたって次の制御チャネルにおけるトラフィックデータの前記第２のタイプの再送を、前記トランシーバを介して前記ネットワークエンティティから、受信するようにさらに動作可能である、Ｃ９に記載のユーザ機器。
［Ｃ１５］
前記少なくとも１つのプロセッサおよび前記メモリは、前記ネットワークエンティティからのマルチステージの許可のうちの１つ以上のステージにおいて前記制御チャネルリソースの前記第１のインジケーションを受信するように動作可能である、Ｃ９に記載のユーザ機器。
［Ｃ１６］
前記制御チャネルリソースは、持続時間においてサブフレーム未満である送信時間間隔に基づく超低レイテンシ（ＵＬＬ）物理ダウンリンク制御チャネル（ｕＰＤＣＣＨ）に対応する、Ｃ９に記載のユーザ機器。
［Ｃ１７］
ワイヤレス通信のためのユーザ機器であって、
ネットワークエンティティから制御チャネルリソースの第１のインジケーションを受信するための手段と、ここにおいて、前記制御チャネルリソースは、トラフィックデータの第１のタイプと関連付けられる制御データを含むことを無線アクセス技術によって定義される、
前記制御チャネルリソースにわたって前記ネットワークエンティティから制御チャネルを受信するための手段と、ここにおいて、前記制御チャネルは、トラフィックデータの第２のタイプを含み、トラフィックデータの前記第２のタイプは、トラフィックデータの前記第１のタイプより比較的少ないデータペイロードを含む、
前記制御チャネルからの制御データを復号することなしに前記制御チャネルからのトラフィックデータの前記第２のタイプを復号するための手段と、
を備える、ユーザ機器。
［Ｃ１８］
前記制御チャネルからのトラフィックデータを復号するために第２のインジケーションを、前記ネットワークエンティティから、受信するための手段、ここにおいて、復号するための前記手段は、前記第２のインジケーションに少なくとも部分的に基づいて前記制御チャネルからのトラフィックデータの前記第２のタイプを復号する、
をさらに備える、Ｃ１７に記載のユーザ機器。
［Ｃ１９］
前記第２のインジケーションは、前記制御チャネルリソースを決定する、および前記制御チャネルリソースからのトラフィックデータを復号するための個別の無線ネットワーク一時識別子（ＲＮＴＩ）に対応する、Ｃ１８に記載のユーザ機器。
［Ｃ２０］
復号するための前記手段は、少なくとも部分的に、前記制御チャネルの許可スペースの各シンボルを、トラフィックデータの前記第２のタイプが前記許可スペースに存在するかどうかを決定するために前記個別のＲＮＴＩに基づいて探索することによってトラフィックデータの前記第２のタイプを復号する、Ｃ１９に記載のユーザ機器。
［Ｃ２１］
復号するための前記手段は、少なくとも部分的に、トラフィックデータの前記第２のタイプを検出するために１つ以上の見込まれるパケットサイズまたはアグリゲーションレベル仮説を使用してトラフィックデータの前記第２のタイプを求めて前記制御チャネルの許可スペースを探索することによってトラフィックデータの前記第２のタイプを復号する、Ｃ１７に記載のユーザ機器。
［Ｃ２２］
前記制御チャネルリソースからの固定の時間期間で設定された次の制御チャネルリソースにわたって次の制御チャネルにおけるトラフィックデータの前記第２のタイプの再送を、前記ネットワークエンティティから、受信するための手段をさらに備える、Ｃ１７に記載のユーザ機器。
［Ｃ２３］
受信するための手段は、前記ネットワークエンティティからのマルチステージの許可のうちの１つ以上のステージにおいて前記制御チャネルリソースの前記第１のインジケーションを受信する、Ｃ１７に記載のユーザ機器。
［Ｃ２４］
ワイヤレス通信のためのコンピュータ実行可能なコードを備えるコンピュータ可読記憶媒体であって、前記コードは、
ネットワークエンティティから制御チャネルリソースの第１のインジケーションを受信するためのコードと、ここにおいて、前記制御チャネルリソースは、トラフィックデータの第１のタイプと関連付けられる制御データを含むことを無線アクセス技術によって定義される、
前記制御チャネルリソースにわたって前記ネットワークエンティティから制御チャネルを受信するためのコードと、ここにおいて、前記制御チャネルは、トラフィックデータの第２のタイプを含み、トラフィックデータの前記第２のタイプは、トラフィックデータの前記第１のタイプより比較的少ないデータペイロードを含む、
前記制御チャネルからの制御データを復号することなしに前記制御チャネルからのトラフィックデータの前記第２のタイプを復号するためのコードと、
を備える、コンピュータ可読記憶媒体。
［Ｃ２５］
前記制御チャネルからのトラフィックデータを復号するために第２のインジケーションを、前記ネットワークエンティティから、受信するためのコード、ここにおいて、復号するための前記コードは、前記第２のインジケーションに少なくとも部分的に基づいて前記制御チャネルからのトラフィックデータの前記第２のタイプを復号する、
をさらに備える、Ｃ２４に記載のコンピュータ可読記憶媒体。
［Ｃ２６］
前記第２のインジケーションは、前記制御チャネルリソースを決定する、および前記制御チャネルリソースからのトラフィックデータを復号するための個別の無線ネットワーク一時識別子（ＲＮＴＩ）に対応する、Ｃ２５に記載のコンピュータ可読記憶媒体。
［Ｃ２７］
復号するための前記コードは、少なくとも部分的に、前記制御チャネルの許可スペースの各シンボルを、トラフィックデータの前記第２のタイプが前記許可スペースに存在するかどうかを決定するために前記個別のＲＮＴＩに基づいて探索することによってトラフィックデータの前記第２のタイプを復号する、Ｃ２６に記載のコンピュータ可読記憶媒体。
［Ｃ２８］
復号するための前記コードは、少なくとも部分的に、トラフィックデータの前記第２のタイプを検出するために１つ以上の見込まれるパケットサイズまたはアグリゲーションレベル仮説を使用してトラフィックデータの前記第２のタイプを求めて前記制御チャネルの許可スペースを探索することによってトラフィックデータの前記第２のタイプを復号する、Ｃ２４に記載のコンピュータ可読記憶媒体。
［Ｃ２９］
前記制御チャネルリソースからの固定の時間期間で設定された次の制御チャネルリソースにわたって次の制御チャネルにおけるトラフィックデータの前記第２のタイプの再送を、前記ネットワークエンティティから、受信するためのコードをさらに備える、Ｃ２４に記載のコンピュータ可読記憶媒体。
［Ｃ３０］
受信するためのコードは、前記ネットワークエンティティからのマルチステージの許可のうちの１つ以上のステージにおいて前記制御チャネルリソースの前記第１のインジケーションを受信する、Ｃ２４に記載のコンピュータ可読記憶媒体。